(57)【要約】【課題】本発明は、粘着テープの先端部が非接着面に形成されているため、手に粘着テープが貼り付くことがなく、指紋の跡もなく、接着面の接着力の低下を防止して、しかも使用された粘着テープの剥離作業も楽に行うことができるテープカッター装置を得るにある。【解決手段】設置された巻き粘着テープを任意の長さで切断するように形成されたカッター本体において、この粘着テープを引き出すことによって、カッターホルダが可動し、これにより前記カッターホルダが固定支持具より開くように形成され、前記粘着テープを刃にて切断することによって、前記カッターホルダが前記固定支持具方向へ移動するように形成され、前記粘着テープの先端部が非接着面になるように形成されたテープカッター装置を構成している。【選択図】  図１
2007022802.tif 000002
【特許請求の範囲】
【請求項１】
設置された巻き粘着テープを任意の長さで切断するように形成されたカッター本体において、この粘着テープを引き出すことによって、カッターホルダが可動し、これにより前記カッターホルダが固定支持具より開くように形成され、前記粘着テープを刃にて切断することによって、前記カッターホルダが前記固定支持具方向へ移動するように形成され、前記粘着テープの先端部が非接着面になるよう形成され備えてなることを特徴とするテープカッター装置。
【請求項２】
設置された巻き粘着テープを任意の長さで切断するように形成されたカッター本体において、この粘着テープを引き出すことによって、カッターホルダが可動し、これにより前記カッターホルダが固定支持具より開くように形成され、前記粘着テープを刃にて切断することによって、前記カッターホルダが前記固定支持具方向へ移動するように形成され、これによって前記カッターホルダと前記固定支持具の間に形成され復元力のある空気収納体の吹き出し口より吹き出される空気の圧力によって、前記粘着テープの先端部が非接着面になるよう形成され備えてなることを特徴とするテープカッター装置。
【請求項３】
設置された巻き粘着テープを任意の長さで切断するように形成されたカッター本体において、この粘着テープを引き出すことによって、突起部が形成されたカッターホルダが可動し、これにより前記カッターホルダが、突起部を形成した固定支持具より開くように形成され、前記粘着テープを刃にて切断することによって、前記カッターホルダが固定支持具方向へ移動し、これによって前記カッターホルダと前記固定支持具の間に形成され、復元力のある空気収納体の吹き出し口より吹き出される空気の圧力によって、前記粘着テープの先端部が非接着面になるように形成され備えてなることを特徴とするテープカッター装置。
【発明の詳細な説明】
【技術分野】
【０００１】    本発明は粘着テープの先端部が非接着面になることのできるテープカッター装置に関する。
【背景技術】
【０００２】    従来、テープカッター装置は設置された巻き粘着テープを引き出すのに粘着テープの先端部分の非接着面と接着面を手で引いて粘着テープを所用長さに切断して使用していたことが考えられている。【０００３】    しかしながら、従来のテープカッター装置では、手に粘着テープの接着面が貼り付いて容易に剥がすことが出来なかったり、接着面に指紋の跡がくっきりと残ったり、更に貼り付いた部分の接着面の接着力が低下してその部分が付かなくなったり、そして使用された粘着テープを剥すのに大変な労力を強いられたりするといった欠点があった。
【特許文献１】    特開  ２００４−３４５７６７
【特許文献２】    特開  ２００５−６７８０７
【発明の開示】
【発明が解決しようとする課題】
【０００４】    本発明は以上のような従来の欠点に鑑み、粘着テープの先端部が非接着面に形成されているため、手に粘着テープが貼り付くことがなく、指紋の跡もなく、接着面の接着力の低下を防止して、しかも使用された粘着テープの剥離作業も楽に行う事ができることを提供することを目的としている。【０００５】    本発明の前記ならびにそのほかの目的と新規な特徴は次の説明を添付図面と照らし合わせて読むと、より完全に明らかになるだろう。
ただし、図面はもっぱら解説のためのものであって、本発明の技術的範囲を限定するものではない。
【課題を解決するための手段】
【０００６】    上記目的を達成するために、本発明は設置された巻き粘着テープを任意の長さで切断するように形成されたカッター本体において、この粘着テープを引き出すことによって、カッターホルダが可動し、これにより前記カッターホルダが固定支持具より開くように形成され、前記粘着テープを刃にて切断することによって、前記カッターホルダが前記固定支持具方向へ移動するように形成され、前記粘着テープの先端部が非接着面になるように形成されたテープカッター装置を構成している。
【発明の効果】
【０００７】    以上の説明から明らかなように、本発明にあっては次に列挙する効果が得られる。
（１）粘着テープの先端部が非接着面であるため、粘着テープを任意の長さに切断して使用しても手に粘着テープが貼り付くことのなく使用することができる。【０００８】    （２）前記（１）によって、粘着テープの接着面の接着力を損なうことなく使用することができる。【０００９】    （３）前記（１）によって、粘着テープの接着面に指紋の跡が付かずに使用することができる。【００１０】    （４）前記（１）によって、使用された粘着テープの剥離作業を楽に行うことができる。【００１１】    （５）請求項２も前記（１）〜（４）と同様な効果が得られる。【００１２】    （６）請求項３も前記（１）〜（４）と同様な効果が得られる。
【発明を実施するための最良の形態】
【００１３】    以下、図面に示す実施するための最良の形態により、本発明を詳細に説明する。【００１４】    図１ないし図６の第１の実施するための最良の形態において、１は本発明のテープカッター装置であって、カッター本体２に設置された巻き粘着テープ３とホイル４とを回転自在に保持することのできるように形成されたテープ保持具５と前記粘着テープ３を引き出すことによって、前記ホイル４も回動し、これにより支持部材１３に接続されている接続部材６（接続部材６は、図５および図６にて示すように、接続部材６と調整部材１４と係止具１５を用いて接続部材６としての長さを調整するような方法でも良い）が押し出され、これに接続されている前記カッターホルダ７が可動して固定支持具８より開いて行き、前記カッターホルダ７が、ロック部材９にロックされてカッターホルダ７の開きが止まる。前記粘着テープ３を任意の長さにて、下に押しさげるようにして前記カッターホルダ７に形成されている刃１０によって切断すると前記カッターホルダ７が下に押されてロック部材９のロックが外れ、板バネ、スプリング、押しバネ、ウレタンゴムなどの弾性部材１１によって、前記カッターホルダ７が前記固定支持具８の方向に移動して、カッターホルダ７と固定支持具８の口が閉じた時、図２にて示すように、前記粘着テープ３の先端部１２の外側が非接着面３Ａになり前記粘着テープ３の前記先端部１２を手１６にて摘まむ様にして前記粘着テープ３を引き出し、これを繰り返し使用するように構成されている。【００１５】    上記構成のテープカッター装置１は、カッター本体２に設置された粘着テープ３を任意の長さにて使用するとき、この粘着テープ３の先端部１２の非接着面３Ａを手１６で摘まむようにして前記粘着テープ３を刃１０にて切断使用するため、前記粘着テープ３が手１６に貼り付くことがなく、前記粘着テープ３の接着面３Ｂに指紋の跡が残ることがなく、接着力の低下を防止して、しかも使用された粘着テープ３の剥離作業をも楽に行うことができる。
｛発明を実施するための異なる形態｝【００１６】    次に図７ないし図１５に示す本発明を実施するための異なる形態につき説明する。尚、これらの本発明を実施するための異なる形態の説明に当たって、前記本発明の第１の実施するための最良の形態と同一構成部分には同一符号を付して重複する説明を省略する。【００１７】    図７ないし図１２の本発明の第２の実施するための形態において、前記本発明の第１の実施するための最良の形態と主に異なる点はカッターホルダ７と固定支持具８との間に蛇腹式、ゴム、シリコンゴム、などで形成された復元力のある空気収納体１７を形成した点で、こうすることにより、粘着テープ３を刃１０にて切断すると前記カッターホルダ７が前記固定支持具８の方向に移動すると前記空気収納体１７が圧縮され、この空気収納体１７に形成された吹き出し口１８より吹き出された空気の圧力によって、前記粘着テープ３の先端部１２の外側が非接着面３Ａになるため、このように形成したテープカッター装置１にしても、前記本発明の第１の実施するための最良の形態と同様な作用効果が得られる。【００１８】    図１３ないし図１５の本発明の第３の実施するための形態において、前記本発明の第２の実施するための形態と主に異なる点は、カッターホルダ７と固定支持具８に突起部２０を形成した点であり、前記本発明の第２の実施するための形態と同様な作用効果が得られる。
【産業上の利用可能性】
【００１９】
【００２０】    本発明は事務用品を製造する産業で利用される。
【図面の簡単な説明】
【００２１】
【図１】本発明を実施するための最良の第１の形態の使用態様を示す斜視図
【図２】本発明を実施するための最良の第１の形態の斜視図
【図３】本発明を実施するための最良の第１の形態の一部破断した側面図
【図４】本発明を実施するための最良の第１の形態の一部破断した側面図
【図５】本発明を実施するための最良の第１の形態の一部破断した側面図
【図６】本発明を実施するための最良の第１の形態の一部破断した側面図
【図７】本発明を実施するための第２の形態の使用態様を示す斜視図
【図８】本発明を実施するための第２の形態の斜視図
【図９】本発明を実施するための第２の形態の一部破断した側面図
【図１０】本発明を実施するための第２の形態の一部破断した側面図
【図１１】本発明を実施するための第２の形態の一部破断した側面図
【図１２】本発明を実施するための第２の形態の一部破断した側面図
【図１３】本発明を実施するための第３の形態の使用態様を示す斜視図
【図１４】本発明を実施するための第２の形態の一部破断した側面図
【図１５】本発明を実施するための第３の形態の一部破断した側面図
【符号の説明】
【００２２】１：テープカッター装置                  ２：カッター本体
３：粘着テープ                          ３Ａ：非接着面
３Ｂ：接着面                            ４：ホイル
５：テープ保持具                        ６：接続部材
７：カッターホルダ                      ８：固定支持具
９：ロック部材                        １０：刃
１１：弾性部材                        １２：先端部
１３：支持部材                        １４：調整部材
１５：係止具                          １６：手
１７：空気収納体                      １８：吹き出し口
２０：突起部
【図１】
2007022802.tif 000003
【図２】
2007022802.tif 000004
【図３】
2007022802.tif 000005
【図４】
2007022802.tif 000006
【図５】
2007022802.tif 000007
【図６】
2007022802.tif 000008
【図７】
2007022802.tif 000009
【図８】
2007022802.tif 000010
【図９】
2007022802.tif 000011
【図１０】
2007022802.tif 000012
【図１１】
2007022802.tif 000013
【図１２】
2007022802.tif 000014
【図１３】
2007022802.tif 000015
【図１４】
2007022802.tif 000016
【図１５】
2007022802.tif 000017